(57)【要約】【課題】  皮膚の保護効果に優れ、着用時に皮膚への密着性が高く、ごわつき感など違和感が生じない、使用性が極めて良好であり、かつ、経時の使用に十分耐え得る保湿用物品を提供することにある。【解決手段】  身体被覆部材と非通気性部材とからなる保湿用物品において、身体被覆部材にスチレン系エラストマーシートからなる非通気性部材が接着されていることを特徴とする保湿用物品。【特許請求の範囲】
【請求項１】
身体被覆部材と非通気性部材とからなる保湿用物品において、身体被覆部材にスチレン系エラストマーシートからなる非通気性部材が接着されていることを特徴とする保湿用物品。
【請求項２】
非通気性部材の厚さが０．１〜２ｍｍである請求項１記載の保湿用物品。
【請求項３】
非通気性部材がポリスチレン−ポリエチレン／ブチレン−ポリスチレンブロック共重合体からなる請求項１又は２記載の保湿用物品。
【発明の詳細な説明】
【技術分野】
【０００１】
本発明は、保湿用物品に関する。更に詳しくは、手、踵、膝、肘部分などのひび割れや角質化しやすい肌部分に対し、乾燥を防止し、潤いを保持し得る保湿用物品に関する。
【背景技術】
【０００２】
手、踵、膝、肘部分などの部分は角質化しやすく、乾燥によるひび割れが生じやすい。そのため、従来から、当該部分からの水分の発散を防止し、保湿性を向上させた保湿用物品が提案されている。例えば、踵部分の生地の内側に非通気布が取り付けられた保潤ソックス（特許文献１）、靴下の踵被覆部に非通気性シートが取り付けられた乾燥防止用靴下（特許文献２）や、肘や膝部を覆う部分の内側に、生地にウレタン系合成樹脂フィルムをラミネートして形成した保温保湿部材を用いた肘及び膝当てサポーター（特許文献３）、靴下布地の内面に、ケイ素官能性を有するベースポリマーを含む、ゴム状に硬化する接着剤によって、薄い布地を貼着した足部保護用靴下（特許文献４）などが挙げられる。
【０００３】
【特許文献１】実用新案登録第３０１３６１２号公報
【特許文献２】実用新案登録第３０２９４２７号公報
【特許文献３】特開平１１−８９８７３号公報
【特許文献４】実用新案登録第３０８７９６７号公報
【発明の開示】
【発明が解決しようとする課題】
【０００４】
しかしながら、特許文献１〜３で非通気性部材として用いられている塩化ビニル、ポリエチレンなどの合成樹脂は、伸縮性が低いため、皮膚への密着性が低く、着用時にごわつき感などの違和感が生じるものであった。
【０００５】
また、特許文献３では、非通気性部材へウレタン樹脂がラミネートされており、皮膚への密着感はある程度改善されてはいるが、空気中の湿気等により加水分解を受けやすく、経時の使用により、非通気性部材が硬くなり、さらに被膜の剥離やひび割れが起こりやすいものであった。特許文献４では、非通気性部材として、ケイ素官能性ポリオルガノシロキサンを有するベースポリマーを用いているため、布地との接着性が低く、洗濯などにより、布地から非通気性部材が簡単に剥がれ落ちやすいものであった。
【０００６】
従って、本発明の目的とするところは、肌の保護効果に優れ、着用時に肌への密着性が極めて高く、ごわつき感など違和感が生じない、使用性が極めて良好であり、かつ、経時の使用に十分耐え得る保湿用物品を提供することにある。
【課題を解決するための手段】
【０００７】
本発明者は、上記課題を鋭意検討した結果、非通気性部材としてスチレン系エラストマーを用いた場合、肌の保護効果に優れるばかりでなく、着用時における肌への密着性が極めて高く、使用性も良好であり、かつ、経時の使用に十分耐え得る保湿用物品が得られることを見いだし、本発明を完成させた。
【０００８】
すなわち、本発明は、身体被覆部材と非通気性部材とからなる保湿用物品において、身体被覆部材にスチレン系エラストマーシートからなる非通気性部材が接着されていることを特徴とする保湿用物品に関する。
【０００９】
非通気性部材の厚さは、０．１〜２ｍｍであることが好ましい。また、非通気性部材は
、ポリスチレン−ポリエチレン／ブチレン−ポリスチレンブロック共重合体からなることが好ましい。
【００１０】
そして、保湿用物品としては、関節用サポーター、靴下、手袋であることが好ましい。
【発明の効果】
【００１１】
本発明によれば、空気の流入を遮断して保湿性を著しく高め、手、踵、肘、膝等のかさつき、ひび割れなどの乾燥による肌荒れや角質化の発生を防止し得る。また、本発明に係る保湿用物品は、肌への密着性が高く、ごわつき感など違和感が生じない、使用性が極めて良好である。
【００１２】
本発明に係る保湿用物品は、非通気性部材を熱融着により、身体被覆部材と接着することが可能であり、製造が容易で、しかも経時の使用においても、剥離やひび割れが起こりにくいという特徴を有する。
【発明を実施するための最良の形態】
【００１３】
本発明の保湿用物品は、少なくとも身体被覆部材と非通気性部材とから構成され、当該非通気性部材が肌荒れ部分及びその近傍を包み込み範囲の身体被覆部材の内側に接着されている。身体被覆部材とは、肌に接して、身体の一部又は全体を被覆し、通気性を有する物である。例えば、下着、手袋、靴下、サポーターなどの通常の衣服が挙げられる。また、非通気性部材とは、空気の流入を遮断できる物である。例えば、塩化ビニル、ポリエチレン、ウレタンなどの合成樹脂、熱可塑性エラストマー、シリコーンエラストマーなどが挙げられる。
【００１４】
本発明の非通気性部材には、柔軟性に優れ、強度特性が良好なスチレン系エラストマーシートが用いられるが、スチレン系エラストマーシートにその他の合成樹脂、エラストマーなどを積層して用いることも可能である。
【００１５】
上記非通気性部材の厚さは、好ましくは０．１〜２ｍｍ、更に好ましくは０．５〜１．５ｍｍである。当該範囲内であれば、ごわつき感がなく、良好な感触が得られる。
【００１６】
上記非通気性部材は、使用性、肌荒れ改善性の点から硬度（ＪＩＡ−Ａ）が１５〜６５の範囲にあることが好ましく、更に好ましくは、破断点伸度、破断点強度に関しても、破断点伸度７５０〜９５０％、破断点強度８０〜２００ｋｇ／ｃｍ２の範囲にあることが好ましい。
【００１７】
本発明の非通気性部材に用いるスチレン系エラストマーは、熱可塑性エラストマーであって、分子中に弾性を持つゴム成分（軟質相）と、塑性変形を防止するための分子拘束成分（硬質相）との両成分を持っており、軟質相の分子運動が局所的に硬質相によって拘束されているため、常温ではゴム弾性体としての挙動をとるが、温度上昇によって塑性変形をする高分子材料である。
【００１８】
上記スチレン系エラストマーの具体例としては、スチレン−ブタジエン共重合体、スチレン−イソプレン共重合体、スチレン−ブタジエンブロック共重合体、スチレン−イソプレンブロック共重合体、スチレン−ブタジエン（ブロック）共重合体の水素添加物、スチレン−イソプレン（ブロック）共重合体の水素添加物、スチレン−ブタジエンランダム共重合体の水素添加物、スチレン−ペンタジエンの（ブロック）共重合体およびその水素添加物、スチレン−２，３−ジメチルブタジエン（ブロック）共重合体およびその水素添加物などが挙げられる。これらのスチレン系エラストマーは、１種単独でまたは２種以上で使用される。
【００１９】
上記スチレン系エラストマーの中でも、ゴム成分が飽和化合物（飽和したポリオレフィンブロック）で構成されていることが、肌荒れ改善性及び耐候性の点から好ましい。特に好ましくはポリスチレン−ポリエチレン／ブチレン−ポリスチレンブロック共重合体である。これらの共重合体は、一般に市販されており、例えば、ＮＡＧＦＬＥＸ（イノアック技術研究所社製）、ラバロン（三菱化学社製）などが挙げられる。
【００２０】
身体被覆部と非通気性部材との接着方法は、特に制限されないが、熱プレス板により、熱融着させて接着を行うことが好ましい。
【００２１】
以下、本発明の実施形態を実施例を挙げて、詳細に説明する。
【００２２】
［実施例１］
本発明の保湿用物品の一例として、肘保湿用サポーターを説明する。以下に本発明の一例である肘保湿用サポーターを図面を参照して説明する。
【００２３】
図１は、本発明の実施態様に係る肘保湿用サポーターの使用状態を表す斜視図である。肘保湿用サポーター１は、上腕部４、肘及び前腕部５を包み込む筒状の伸縮性を有する編地から形成され、両端部に滑り止め部３が形成されている。そして、図１に示すように、肘関節部及びその近傍を包み込み範囲の編地の内側に非通気性部材２が接着されている。尚、編地と非通気性部材２とは、熱プレス板（１４０℃、２０秒）により、熱融着させて接着を行った。
【００２４】
編地は、７０デニールナイロン糸と、２０デニールポリウレタン糸を芯糸として、これに７０デニールナイロン糸をカバーリングしたシングルカバーリングヤーン（ＳＣＹ）とを、ウェール方向に交互に用いて、平編みされている。また、滑り止め部３においては、リブ編みされている。
【００２５】
非通気性部材に使用したスチレン系エラストマーシートは、長径６ｃｍ、短径５ｃｍの楕円形状であり、ポリスチレン−ポリエチレン／ブチレン−ポリスチレンブロック共重合体（ＮＡＧＦＬＥＸ、イノアック技術研究所社製）からなる厚さ１ｍｍのシートである。
【００２６】
本発明の肘保湿用サポーターは、肌への密着性が高く、ごわつき感など違和感が生じず、使用性が極めて良好であった。本肘保湿用サポーターを１週間着用した場合、肘のかさかさ感がなくなり、湿疹、かぶれなども生じなかった。また、非通気性部材は、皮膚にしっかりと付着するが、剥がれ易いため、肘保湿用サポーターを取り外すときに、肌荒れ部分を傷つけることもなかった。
【００２７】
耐洗濯性も良好であり、耐洗濯試験（１０３法  吊干し、３０回繰り返し）において、非通気性部材の剥離、ひび割れなどの外観劣化は全く見られなかった。
【００２８】
［実施例２］
本発明の保湿用物品の一例として、踵保湿用靴下を説明する。以下に本発明の一例である踵保湿用靴下を図面を参照して説明する。
【００２９】
図２に示すように、踵保湿用靴下６の踵部１０及びその近傍を包み込む範囲の編地の内側に非通気性部材７が接着されている。尚、踵保湿用靴下６と非通気性部材７とは、踵部分の膨出に合わせた木型を作り、これに靴下を被嵌し、それに見合う形状にへこんだ熱プレス板で熱プレス（１４０℃、２０秒）させて接着を行った。
【００３０】
非通気性部材に使用したスチレン系エラストマーシートは、長径８ｃｍ、短径６ｃｍの楕円形状であり、短径に沿って、略扇形状の切れ込みを有する、ポリスチレン−ポリエチレン／ブチレン−ポリスチレンブロック共重合体（ＮＡＧＦＬＥＸ、イノアック技術研究所社製）からなる厚さ１ｍｍのシートである。
【００３１】
本発明の踵保湿用靴下は、踵への密着性が高く、ごわつき感など違和感が生じず、使用性が極めて良好であった。本踵保湿用靴下を実施例１と同様、１週間着用した場合、踵のかさかさ感がなくなり、湿疹、かぶれなども生じなかった。
【００３２】
耐洗濯性も良好であり、耐洗濯試験（１０３法  吊干し、３０回繰り返し）において、非通気性部材の剥離、ひび割れなどの外観劣化は全く見られなかった。
【００３３】
［実施例３］
本発明の保湿用物品の一例として、保湿用手袋を説明する。以下に本発明の一例である保湿用手袋を図面を参照して説明する。
【００３４】
図３に示すように、保湿用手袋１１の手の甲及びその近傍を包み込む範囲の編地の内側に非通気性部材１４が接着されている。尚、手袋本体１２と非通気性部材１４とは、熱プレス板（１４０℃、２０秒）により、熱融着させて接着を行った。
【００３５】
非通気性部材に使用したスチレン系エラストマーシートは、長径６ｃｍ、短径５ｃｍの楕円形状であり、ポリスチレン−ポリエチレン／ブチレン−ポリスチレンブロック共重合体（ＮＡＧＦＬＥＸ、イノアック技術研究所社製）からなる厚さ１ｍｍのシートである。
【００３６】
本発明の保湿用手袋は、肌への密着性が高く、ごわつき感など違和感が生じず、使用性が極めて良好であった。本保湿用手袋を実施例１と同様、１週間着用した場合、肌のかさかさ感がなくなり、湿疹、かぶれなども生じなかった。
【００３７】
耐洗濯性も良好であり、耐洗濯試験（１０３法  吊干し、３０回繰り返し）において、非通気性部材の剥離、ひび割れなどの外観劣化は全く見られなかった。
【産業上の利用可能性】
【００３８】
本発明の保湿性物品は、空気の流入を遮断して保湿性を著しく高め、手、踵、肘、膝等のかさつき、ひび割れなどの乾燥による肌荒れや角質化の発生を防止し得る。従って、関節用サポーター、手袋、靴下などとして好適に用いることができる。
【図面の簡単な説明】
【００３９】
【図１】本発明の保湿用物品の一例として、肘保湿用サポーターの使用状態を示す斜視図である。
【図２】本発明の保湿用物品の一例として、踵保湿用靴下の使用状態を示す斜視図である。
【図３】本発明の保湿用物品の一例として、保湿用手袋の使用状態を示す斜視図である。
【符号の説明】
【００４０】
１    肘保湿用サポーター
２    非通気性部材
３    滑り止め部
４    上腕部
５    前腕部
６    踵保湿用靴下
７    非通気性部材
８    滑り止め部
９    つま先部
１０  踵部
１１  保湿用手袋
１２  手袋本体
１３  指先カバー部
１４  非通気性部材
１５  滑り止め部
【図１】
2005113290.tif 000002
【図２】
2005113290.tif 000003
【図３】
2005113290.tif 000004